(57)【要約】【課題】他者が競技内容を覗き見し難くするテーブル競技用のサイドテーブル及び椅子を提供する。【解決手段】複数の競技者が競技用テーブル１を囲んで競技を行うテーブル競技において隣り合う競技者の間に配置するサイドテーブル１０に、競技者の間を遮蔽する衝立３０を着脱自在に設けた。衝立３０は、サイドテーブル１０の天板２１上において、利用する競技者側の空間を広く確保するように隣の競技者側に偏在して設けた。また、競技者が着座する椅子５０に、競技者の後方を遮蔽する衝立６０を設けた。【選択図】図４
0003184302.tif 000002
【実用新案登録請求の範囲】
【請求項１】
複数の競技者がテーブルを囲んで競技を行うテーブル競技において隣り合う競技者の間に配置されるテーブル競技用のサイドテーブルであって、
競技者の間を遮蔽する衝立が設けられていることを特徴とするテーブル競技用のサイドテーブル。
【請求項２】
前記衝立は、着脱自在であることを特徴とする請求項１に記載のテーブル競技用のサイドテーブル。
【請求項３】
前記衝立は、テレビやコンピュータ等の情報機器が組み込まれたものであるか、または、テレビやコンピュータ等の情報機器自体によって構成されたものであることを特徴とする請求項１または請求項２に記載のテーブル競技用のサイドテーブル。
【請求項４】
前記衝立は、関係者に連絡するための連絡手段を備えていることを特徴とする請求項１乃至請求項３のいずれかに記載のテーブル競技用のサイドテーブル。
【請求項５】
前記衝立は、サイドテーブルの天板上において、利用する競技者側の空間を広く確保するように隣の競技者側に偏在して設けられていることを特徴とする請求項１乃至請求項４のいずれかに記載のテーブル競技用のサイドテーブル。
【請求項６】
前記衝立は、隣の競技者との間を遮蔽する主体部と、該主体部の後部から利用する競技者側に張り出した張出部とを有するものであることを特徴とする請求項５に記載のテーブル競技用のサイドテーブル。
【請求項７】
複数の競技者がテーブルを囲んで競技を行うテーブル競技において競技者が着座するテーブル競技用の椅子であって、
競技者の後方を遮蔽する衝立を備えることを特徴とするテーブル競技用の椅子。
【請求項８】
前記衝立は、着脱自在であることを特徴とする請求項７に記載のテーブル競技用の椅子。
【請求項９】
前記衝立は、関係者に連絡するための連絡手段を備えていることを特徴とする請求項７または請求項８に記載のテーブル競技用の椅子。
【請求項１０】
前記衝立は、競技者の後方を遮蔽する後方遮蔽部と、該後方遮蔽部の側方に張り出して競技者の斜め後方を遮蔽する側方遮蔽部とを有するものであることを特徴とする請求項７乃至請求項９のいずれかに記載のテーブル競技用の椅子。
【考案の詳細な説明】
【技術分野】
【０００１】
本考案は、複数の競技者がテーブルを囲んで競技を行うテーブル競技において使用されるテーブル競技用のサイドテーブル及び椅子に関するものである。
【背景技術】
【０００２】
麻雀競技、トランプ競技、花札競技等、複数の競技者がテーブルを囲んで競技を行うテーブル競技がある。そして、テーブル競技では、例えば雀荘における各種の用具の配置を示す図１のように、競技者Ｐ１〜４は、競技用テーブル１周りの椅子５０に着座して競技を行う。また、隣り合う競技者Ｐ１〜４間には、サイドテーブル１０が配置されており、競技者Ｐ１〜４の手荷物を置いたり、飲食物を置いたりすることができるように利便性が図られている。なお、サイドテーブル１０については、競技者Ｐ１〜４の左側のサイドテーブル１０を利用することが慣例となっている。この種のテーブル競技については、例えば、特許文献１に記載の技術が開示されている。
【先行技術文献】
【特許文献】
【０００３】
【特許文献１】特開２００６−２２３３６１号公報
【考案の概要】
【考案が解決しようとする課題】
【０００４】
競技の進行中に際して、競技者は、麻雀の手牌、トランプや花札の手札といった競技内容を秘密にしておきたいのであるが、隣の競技者（図１におけるＰ１の競技者に対してＰ２やＰ４の競技者）が不正に覗き見をすることがある。また、競技には参加していない第三者（図１におけるＰ０の人物）が後方から競技内容を覗き見して、他の競技者に不正に伝えることもある。よって、このような不正を防止するために、競技内容を覗き見ることができないようにすることが望まれる。
【０００５】
また、不正防止のためばかりではなく、自分の競技内容を他者に知られたくない場合もある。例えば、順番待ちをしている者に自分の競技内容が知られると、競技の運び方のクセや技量を読まれたり、場のツキ具合を読まれたりして、次の対戦に際して不利になるからである。
【０００６】
本考案は、上記実情を鑑みてなされたものであり、他者が競技内容を覗き見し難くするテーブル競技用のサイドテーブル及び椅子の提供を課題とする。
【課題を解決するための手段】
【０００７】
請求項１のテーブル競技用のサイドテーブルは、複数の競技者がテーブルを囲んで競技を行うテーブル競技において隣り合う競技者の間に配置されるものであって、競技者の間を遮蔽する衝立が設けられたものである。
請求項２のテーブル競技用のサイドテーブルは、衝立が、着脱自在となっている。
請求項３のテーブル競技用のサイドテーブルは、衝立が、テレビやコンピュータ等の情報機器が組み込まれたものであるか、テレビやコンピュータ等の情報機器自体によって構成されたものである。
請求項４のテーブル競技用のサイドテーブルは、衝立が、関係者に連絡するための連絡手段を備えているものである。
請求項５のテーブル競技用のサイドテーブルは、衝立が、サイドテーブルの天板上において、利用する競技者側の空間を広く確保するように隣の競技者側に偏在して設けられたものである。
請求項６のテーブル競技用のサイドテーブルは、衝立が、隣の競技者との間を遮蔽する主体部と、該主体部の後部から利用する競技者側に張り出した張出部とを有するものである。
【０００８】
請求項７のテーブル競技用の椅子は、複数の競技者がテーブルを囲んで競技を行うテーブル競技において競技者が着座するものであって、競技者の後方を遮蔽する衝立を備えるものである。
請求項８のテーブル競技用の椅子は、衝立が、着脱自在となっている。
請求項９のテーブル競技用の椅子は、衝立が、関係者に連絡するための連絡手段を備えているものである。
請求項１０のテーブル競技用の椅子は、衝立が、競技者の後方を遮蔽する後方遮蔽部と、該後方遮蔽部の側方に張り出して競技者の斜め後方を遮蔽する側方遮蔽部とを有するものである。
【０００９】
請求項１〜６のサイドテーブルでは、隣り合う競技者間を遮蔽する衝立を有するものであるため、隣の競技者にとっては衝立が邪魔になり、競技内容を覗き見し難くなる。
【００１０】
特に、請求項２のサイドテーブルでは、衝立が着脱自在であるため、衝立を必要に応じて装着したり取り外したりすることができる。よって、衝立によって、サイドテーブルとしての使用勝手を低下させることがない。
【００１１】
また、請求項３のサイドテーブルでは、衝立にテレビやコンピュータ等の情報機器を組み込むか、衝立を情報機器自体で構成するため、衝立に付加価値を付けて利便性を向上させることができる。
請求項４のサイドテーブル及び請求項９の椅子では、衝立が連絡手段を備えているため、着座したまま、競技施設の関係者等に、ゲームが終了した旨を連絡したり、飲食物を注文したりすることができる。
【００１２】
また、請求項５のサイドテーブルでは、天板上において衝立が隣の競技者側に偏在しており、利用者側の空間が広くなっているため、天板上に飲食物等を置く場合に、衝立が邪魔になり難く、衝立を設けても、サイトテーブルとしての十分な利便性を確保することができる。
【００１３】
また、請求項６のサイドテーブルでは、主体部の後部に張出部が利用者側に張り出しているため、側方から第三者が競技内容を覗き見し難くすることができる。
【００１４】
請求項７〜１０の椅子では、競技者の後方を遮蔽する衝立を有するものであるため、競技者の後方にいる第三者にとっては衝立が邪魔になり、競技内容を覗き見し難くなる。
【００１５】
特に、請求項８の椅子では、衝立が着脱自在であるため、衝立を必要に応じて装着したり取り外したりすることができる。よって、衝立によって、椅子としての使用勝手を低下させることがない。
【００１６】
また、請求項１０の椅子では、後方遮蔽部の側方に側方遮蔽部が張り出しているため、競技者の斜め後方にいる第三者にとっても、衝立が邪魔になり、競技内容を覗き見し難くなる。
【考案の効果】
【００１７】
以上のように、本考案によれば、他者が競技内容を覗き見し難くすることのできるサイドテーブル及び椅子を提供することができる。特に、テーブル競技において使用される既設のサイドテーブル及び椅子を利用してこれに簡易な衝立を設けているから、簡易な手段により競技者間を遮蔽でき、別途に専用の衝立を設ける必要がなく、経済的であり、専用の衝立を設けることによって通行の妨げとなることもない。
【図面の簡単な説明】
【００１８】
【図１】テーブル競技において種々の用具の配置を示す説明図である。
【図２】本考案に係るサイドテーブルの種々の例を示す分解斜視図である。
【図３】本考案に係る椅子の種々の例を示す分解斜視図である。
【図４】本考案に係るサイドテーブルと椅子とを用いてテーブル競技を行う種々の例を示す説明図である。
【考案を実施するための形態】
【００１９】
本考案に係るサイドテーブル及び椅子の実施形態の例を以下に説明する。なお、本例では、図１に示すように、テーブル競技として麻雀を例にして、正方形の競技用テーブル１（麻雀卓）を４人の競技者Ｐ１〜４で囲んで競技を行う際に使用するサイドテーブル１０及び椅子５０を示すが、本考案に係るサイドテーブル１０及び椅子５０は、トランプ競技や花札等のカード競技において、円形の競技用テーブルを複数の競技者で囲んで競技を行う場合にも使用できるものである。また、競技内容Ｔは、麻雀であれば手牌であるが、カード競技では手札となる。
【００２０】
サイドテーブル１０は、隣り合う競技者Ｐ１〜４の間に配置されて、競技者Ｐ１〜４の手荷物を置いたり、飲食物を置いたりすることができるものである。そして、テーブル競技では、競技者Ｐ１〜４の左側のサイドテーブル１０を利用することが慣例となっている。なお、サイドテーブル１０は、競技用テーブル１の角部に夫々配置されるものであり、本書では、説明の便宜上、サイドテーブル１０の方向について、競技用テーブル１の角部に向かい合う角の部分を正面として説明する。
【００２１】
サイドテーブル１０は、図２（ａ）に示すように、４分の１円弧状の天板２１及び棚板２２、並びに、天板２１や棚板２２を支える支柱２３から形成された棚状のテーブル本体２０と、このテーブル本体２０の天板２１に着脱自在に装着された衝立３０とを備えている。ここで、衝立３０は、隣り合う競技者間を遮蔽するものであり、椅子５０に座った競技者が隣の競技者の競技内容を覗き込もうとしても覗き込めないように、十分な幅及び高さで平板状に形成されたものである。また、テーブル本体２０の下部にはキャスター２４が取り付けられており、サイドテーブル１０を円滑に移動できるようにしてある。
【００２２】
ところで、衝立３０は、天板２１において、利用者側２０ａの空間が十分に確保されるように、隣の競技者側２０ｂに偏在して配置されている。よって、衝立３０が装着された状態であっても、サイドテーブル１０の利用者は、天板２１に飲食物等を支障なく置くことができる。なお、本例では、天板２１に衝立３０の装着部を設け、この装着部に衝立３０を装着することで、天板２１上に衝立３０を立設できるようにしてある。より具体的に、天板２１には、装着穴２５が設けられており、衝立３０の下部に突設された装着軸３３を装着穴２５に差し込むことで、天板２１に衝立３０を着脱自在に組み付けることができるようにしてある。ここで、このような構造に限らず、棚板２２や支柱２３に衝立３０を装着するような構造を採用してもよい。
【００２３】
また、衝立３０には、テレビ３４が組み込まれており、競技中においても、気になるスポーツの実況中継等を視聴することができようにしてある。よって、衝立３０は、競技者間を遮蔽する以外の機能を有し、利便性に優れるものとなっている。なお、テレビ３４に限らず、パーソナルコンピュータのディスプレイ、ディスプレイにコンピュータが内蔵されているコンピュータ一体型ディスプレイ、タブレット端末等、所望の情報機器を衝立３０に組み込むこととしてもよい。また、近年では、液晶テレビや液晶ディスプレイ等、薄型の情報機器が種々、流通している。よって、薄型の情報機器自体によって衝立３０を構成することとしてもよい。
【００２４】
更に、衝立３０の上端部等には、競技施設の関係者等に、ゲームが終了した旨の連絡や飲食物の注文などの連絡手段を備えることもできる。連絡手段としては、例えば、赤色や青色のランプ、回転灯、点滅灯などの表示灯による手段や、ブザー、チャイム等の音声による手段などを挙げることができる。
【００２５】
図２（ｂ）に、サイドテーブル１０の別の例を示す。このサイドテーブル１０では、衝立３０が、隣の競技者側２０ｂに立設された主体部３１と、この主体部３１の後部即ち主体部３１において競技者Ｐ１から離れた反対側の部分から利用者側２０ａへと張り出した張出部３２とを有するものとして構成されている。ここで、張出部３２をサイドテーブル１０の円弧状の背面全体に渡るものとしてもよいが、本例では、背面の半分程までに張り出るものとしてあり、利用者が天板２１上に飲食物等の物を置く際に、張出部３２が邪魔になり難くしてある。なお、サイドテーブル１０のその他の構造は、上述の例と同様の構造である。
【００２６】
図２（ｃ）に、サイドテーブル１０の別の例を示す。このサイドテーブル１０では、衝立３０が、天板２１上を利用者側２０ａと隣の競技者側２０ｂとで均等に二分する平板状のものとなっている。このように天板２１上を二分する衝立３０であっても、着脱自在であることから、飲食物の大きな器等を天板２１上に置きたい場合には、衝立３０を取り外すことで、大きな器等を天板２１上に置くことができる。なお、サイドテーブル１０のその他の構造は、上述の例と同様の構造である。
【００２７】
図２（ｄ）に、サイドテーブル１０の別の例を示す。このサイドテーブル１０では、天板２１や棚板２２が正方形状となっている。そして、正方形の天板２１上には、隣の競技者側２０ｂの辺全体に渡って立設された主体部３１と、この主体部３１の後部即ち主体部３１において競技者Ｐ１から離れた反対側の部分から主体部３１に直交して利用者側２０ａに張り出す張出部３２とを有する衝立３０が装着されている。また、張出部３２は、利用者側２０ａとは反対側の辺全体に渡って立設されたものとなっている。このようなサイドテーブル１０では、衝立３０が、隣の競技者側２０ｂの辺及び利用者側２０ａとは反対側の辺といったように偏在しており、天板２１上において、利用者側２０ａの空間が十分に確保されている。よって、利用者が天板２１上に物を置く際に、衝立３０が邪魔になり難い。なお、サイドテーブル１０のその他の構造は、上述の例と同様の構造である。
【００２８】
次に、椅子５０について説明する。
【００２９】
椅子５０は、図３（ａ）に示すように、基台部５１と、基台部５１に立設された支軸部５２と、支軸部５２を介して基台部５１に回転自在に組み付けられた座部５３と、座部５３の後方に立設された背当部５４とを有するものである。そして、基台部５１にはキャスター５５が取り付けられており、椅子５０を円滑に移動できるようにしてある。なお、基台部５１、支軸部５２、座部５３、背当部５４及びキャスター５５については、椅子５０としての一般的な構造である。
【００３０】
座部５３の下側には、装着フレーム５６が背当部５４のさらに後方に突出すように一体的に設けられており、この装着フレーム５６に、衝立６０が着脱自在に装着されている。具体的には、装着フレーム５６には、装着穴５７が設けられており、衝立３０の下部に突設された装着軸６３を装着穴５７に差し込むことで、椅子５０に衝立６０を着脱自在に組み付けることができるようにしてある。ここで、このような構造に限らず、背当部５４や支軸部５２、或いは基台部５１に衝立６０を装着するような構造を採用してもよい。
【００３１】
衝立６０は、椅子５０に着座した競技者の後方を遮蔽するものであり、競技者の後方に立っている他者が、競技者の肩越しに競技内容を覗き見ることができないように、十分な幅及び高さで平板状に形成されている。
【００３２】
図３（ｂ）に、椅子５０の別の例を示す。この椅子５０は、衝立６０が、競技者の後方を遮蔽する後方遮蔽部６１と、この後方遮蔽部６１の側方に張り出して競技者の斜め後方を遮蔽する側方遮蔽部６２とを有するものとして構成されており、その他は、上述の例と同様の構造となっている。なお、本例では、側方遮蔽部６２が円弧状に湾曲するものとなっており、椅子５０周りの空間に大きくはみ出ないものとなっているが、これに限らず、後方遮蔽部６１から直線状に張り出す平板状のものとしてもよい。また、後方遮蔽部６１に側方遮蔽部６２を、緩やかに連続する一体的なものとしてあるが、これに限らず、側方遮蔽部６２を後方遮蔽部６１とは別体の部材として、側方遮蔽部６２を後方遮蔽部６１に着脱自在に装着するようにしてもよい。
【００３３】
次に、上述したサイドテーブル１０及び椅子５０を使用してテーブル競技を行う状況を説明する。
【００３４】
図４（ａ）に、図２（ａ）に示したサイドテーブル１０、及び、図３（ａ）に示した椅子５０を使用した例を示す。サイドテーブル１０には、隣の競技者側に衝立３０が立設されている。よって、競技者Ｐ１の競技内容Ｔを隣の競技者が覗き見ること（矢印Ａ、Ｂ）を防止することができる。また、右隣の競技者が利用するサイドテーブル１０の衝立３０は、競技者Ｐ１側に立設されていることから、競技者Ｐ１の右側方にいる他者が競技内容Ｔを覗き見ること（矢印Ｃ）も防止することができる。さらに、椅子５０に衝立６０が設けられていることから、競技者Ｐ１の後方にいる他者が競技内容Ｔを覗き見ること（矢印Ｄ）も防止することができる。
【００３５】
なお、サイドテーブル１０に衝立３０が設けられていても、衝立３０は、隣の競技者側に偏在したものであることから、競技者Ｐ１が利用する左側のサイドテーブル１０の天板２１には、十分な利用空間が確保される。よって、天板２１上に飲食物等を何らの支障もなく置くことができる。
【００３６】
図４（ｂ）に、図２（ｂ）に示したサイドテーブル１０、及び、図３（ｂ）に示した椅子５０を使用した例を示す。サイドテーブル１０には、隣の競技者側に衝立３０が立設されており、この衝立３０は、競技者Ｐ１側に張り出す張出部３２を有している。よって、上述の例に加えて、競技者Ｐ１の競技内容Ｔを、競技者Ｐ１の左側方にいる他者が覗き見ること（矢印Ｅ）を防止することができる。また、椅子５０には、競技者Ｐ１の斜め後方に張り出す側方遮蔽部６２を有する衝立６０が設けられている。よって、競技者Ｐ１の後方にいる他者ばかりでなく、競技者Ｐ１の斜め後方にいる他者が覗き見ること（矢印Ｆ）も防止することができる。なお、競技者Ｐ１の右側については、右隣の競技者が利用するサイドテーブル１０の衝立３０、及び、椅子５０の衝立６０の左側の側方遮蔽部６２によって、競技者Ｐ１の競技内容Ｔをほぼ完全に隠蔽することができる。
【００３７】
図４（ｃ）に、図２（ｃ）に示したサイドテーブル１０、及び、図３（ｂ）に示した椅子５０を使用した例を示す。サイドテーブル１０には、天板２１を利用者側と隣の競技者側と均等に二分する衝立３０が立設されている。よって、競技者Ｐ１の競技内容Ｔを隣の競技者が覗き見ること（矢印Ｇ）を防止することができる。また、競技者Ｐ１の側方にいる他者が覗き見ること（矢印Ｈ）も防止することができる。なお、サイドテーブル１０の利用者は、飲み物等の小物であれば、天板２１の空きスペースに物を置くことができるが、食べ物の器等の大きな物を天板２１に置きたい場合には、衝立３０を臨時に取り外せばよい。
【００３８】
図４（ａ）〜（ｃ）では、サイドテーブル１０が４分の１円弧状のものであり、通路に大きくはみ出さないものであるが、方形状のサイドテーブル１０も存在する。図４（ｄ）に、図２（ｄ）に示した方形状のサイドテーブル１０、及び、図３（ｂ）に示した椅子５０を使用した例を示す。サイドテーブル１０には、隣の競技者側に衝立３０が立設されており、この衝立３０は、隣の競技者側に偏在する主体部３１と、主体部３１に直交して競技者Ｐ１側に張り出す張出部３２とを有するものである。よって、主体部３１によって、競技者Ｐ１の競技内容Ｔを隣の競技者が覗き見ること（矢印Ｉ）を防止することができ、張出部３２によって、競技者Ｐ１の左側方にいる他者が覗き見ること（矢印Ｊ）を防止することができる。なお、競技者Ｐ１の右側については、右隣の競技者が利用するサイドテーブル１０の衝立３０、及び、椅子５０の衝立６０の左側の側方遮蔽部６２によって、競技者Ｐ１の競技内容Ｔをほぼ完全に隠蔽することができる。
【００３９】
ところで、上記実施形態の衝立３０、衝立６０は、それぞれサイドテーブル１０、椅子５０に着脱自在に取付けられているが、これに限られるものではなく、これらに一体に固定されたものとしてもよい。
【符号の説明】
【００４０】
１  競技用テーブル                   ５０  椅子
１０  サイドテーブル                 ５１  基台部
２０  テーブル本体                   ５２  支軸部
２１  天板                           ５３  座部
２２  棚板                           ５４  背当部
２３  支柱                           ５５  キャスター
２４  キャスター                     ５６  装着フレーム
２５  装着穴                         ５７  装着穴
３０  衝立                           ６０  衝立
３１  主体部                         ６１  後方遮蔽部
３２  張出部                         ６２  側方遮蔽部
３３  装着軸                         ６３  装着軸
３４  テレビ（情報機器）
【図１】
0003184302.tif 000003
【図２】
0003184302.tif 000004
【図３】
0003184302.tif 000005
【図４】
0003184302.tif 000006